(57)【要約】【課題】例えば蛇を捕捉する際には、蛇に近付かず直接触らずに安全に捕捉でき、更に、刺したりして傷つけることなく丁寧に捕捉することができ、しかも、拘束して素早く確実且つ容易に捕捉することができる実用的で画期的な捕捉機を提供すること。【解決手段】棒状体１の先端部に捕捉物を挟持捕捉可能な一対の挟持体２を設け、この挟持体２は夫々細長い挟持部３を一若しくは複数有する構成とし、挟持体２の一方は複数の前記挟持部３を並設した構成とし、この一対の挟持体２が閉じた状態では一方の挟持部３と他方の挟持部３とが交互に並設状態となるように構成したものである。【選択図】　図２
2004073122.tif 000002
【特許請求の範囲】
【請求項１】
棒状体の先端部に捕捉物を挟持捕捉可能な一対の挟持体を設け、この挟持体は夫々細長い挟持部を一若しくは複数有する構成とし、挟持体の一方は複数の前記挟持部を並設した構成とし、この一対の挟持体が閉じた状態では一方の挟持部と他方の挟持部とが交互に並設状態となるように構成したことを特徴とする捕捉機。
【請求項２】
前記挟持体は、この一対の挟持体の少なくとも一方の前記挟持部を外方に屈曲状態に設けて、この一方の挟持部の内側に屈曲凹部を形成したことを特徴とする請求項１記載の捕捉機。
【請求項３】
前記挟持体は、一方は二つの前記挟持部を並設し、他方は一つの前記挟持部を設けた構成とし、この一対の挟持体が閉じた状態では一方の二つの前記挟持部間に他方の前記挟持部が並設状態に配設するように構成したことを特徴とする請求項１，２のいずれか１項に記載の捕捉機。
【請求項４】
前記一対の挟持体は、二つの挟持部を並設した枠状体と、一つの挟持部が設けられた棒状体とから成るものであり、この枠状体若しくは棒状体のいずれか一方は外方に屈曲状態に設けて、この一方の挟持部の内側に屈曲凹部を形成し、この一対の挟持体が閉じた状態では前記一方の挟持体の枠状体が形成する枠孔に前記他方の挟持体の棒状体が並設状態に配設するように構成したことを特徴とする請求項２，３のいずれか１項に記載の捕捉機。
【請求項５】
前記一対の挟持体は、前記棒状体の基端部に設けた握持部を握持することで作動する開閉機構により開閉するように構成したことを特徴とする請求項１〜４のいずれか１項に記載の捕捉機。
【請求項６】
前記棒状体並びに挟持体をステンレス材により構成し、前記棒状体の先端部に前記一対の挟持体を着脱自在に設けたことを特徴とする請求項１〜５のいずれか１項に記載の捕捉機。
【発明の詳細な説明】
【０００１】
【発明の属する技術分野】
本発明は、蛇等の生物を捕捉したり、池の鯉の死骸や大鼠の死骸等動物の死体を処理したり、更に、下水溝の落ち葉・固形汚物を除去する捕捉機に関するものである。
【０００２】
【従来の技術及び発明が解決しようとする課題】
蛇は、一般に忌避されており、また、毒を持つものもいるため、見つけた場合には早急に駆除するのが普通である。
【０００３】
しかし、何らかの理由により、例えば、蛇酒を造りたい場合や、動物園等で飼育されている場合等、この蛇を傷つけずに捕捉したい場合もある。
【０００４】
この際、慣れた人であれば手で蛇の頭部をつかんだり、また、慣れていなくても棒等に引っかけたりすることで傷つけずに捕捉することは可能であるが、手づかみで捕捉するのは危険であり、棒等に引っかけるのは一旦は捕捉できても蛇を拘束できないため逃げられることもあり、捕捉に時間がかかる上に確実に捕捉できる方法ではない。
【０００５】
また、蛇を単に拘束する目的であれば、駆除する際に用いる器具で拘束することは可能であるが、この場合、蛇に傷を付けずに捕捉することは困難である。
【０００６】
本発明は、上述のような現状に鑑み、棒状体の先端部に捕捉物を挟持捕捉可能な一対の挟持体を設け、この挟持体は夫々細長い挟持部を一若しくは複数有する構成とし、挟持体の一方は複数の前記挟持部を並設した構成とし、この一対の挟持体が閉じた状態では一方の挟持部と他方の挟持部とが交互に並設状態となるように構成することで、棒状体の先端部の挟持体で挟持物を挟持捕捉できるから、例えば蛇を捕捉する際には、蛇に近付かず直接触らずに安全に捕捉でき、更に、蛇を交互に並設状態となった挟持体の挟持部で挟持することができるから、刺したりして傷つけることなく丁寧に捕捉することができ、しかも、蛇を対向しない多数点で挟持することができるから、確実に拘束して素早く確実且つ容易に捕捉することができる実用的で画期的な捕捉機を提供するものである。
【０００７】
【課題を解決するための手段】
添付図面を参照して本発明の要旨を説明する。
【０００８】
棒状体１の先端部に捕捉物を挟持捕捉可能な一対の挟持体２を設け、この挟持体２は夫々細長い挟持部３を一若しくは複数有する構成とし、挟持体２の一方は複数の前記挟持部３を並設した構成とし、この一対の挟持体２が閉じた状態では一方の挟持部３と他方の挟持部３とが交互に並設状態となるように構成したことを特徴とする捕捉機に係るものである。
【０００９】
また、前記挟持体２は、この一対の挟持体２の少なくとも一方の前記挟持部３を外方に屈曲状態に設けて、この一方の挟持部３の内側に屈曲凹部５を形成したことを特徴とする請求項１記載の捕捉機に係るものである。
【００１０】
また、前記挟持体２は、一方は二つの前記挟持部３を並設し、他方は一つの前記挟持部３を設けた構成とし、この一対の挟持体２が閉じた状態では一方の二つの前記挟持部３間に他方の前記挟持部３が並設状態に配設するように構成したことを特徴とする請求項１，２のいずれか１項に記載の捕捉機に係るものである。
【００１１】
また、前記一対の挟持体２は、二つの挟持部３を並設した枠状体と、一つの挟持部３が設けられた棒状体とから成るものであり、この枠状体若しくは棒状体のいずれか一方は外方に屈曲状態に設けて、この一方の挟持部３の内側に屈曲凹部５を形成し、この一対の挟持体２が閉じた状態では前記一方の挟持体２の枠状体が形成する枠孔に前記他方の挟持体２の棒状体が並設状態に配設するように構成したことを特徴とする請求項２，３のいずれか１項に記載の捕捉機に係るものである。
【００１２】
また、前記一対の挟持体２は、前記棒状体１の基端部に設けた握持部９を握持することで作動する開閉機構４により開閉するように構成したことを特徴とする請求項１〜４のいずれか１項に記載の捕捉機に係るものである。
【００１３】
また、前記棒状体１並びに挟持体２をステンレス材により構成し、前記棒状体１の先端部に前記一対の挟持体２を着脱自在に設けたことを特徴とする請求項１〜５のいずれか１項に記載の捕捉機に係るものである。
【００１４】
【発明の実施の形態】
好適と考える本発明の実施の形態（発明をどのように実施するか）を、図面に基づいてその作用効果を示して簡単に説明する。
【００１５】
棒状体１の先端部の挟持体２で例えば蛇を挟持捕捉する。
【００１６】
この際、棒状体１の先端部の挟持体２で蛇を挟持捕捉できるから、蛇に近付かず直接触らずに安全に捕捉することができる。
【００１７】
しかも、交互に並設状態となった挟持部３により対向しない複数点で捕捉物を挟持できるから、対向する点で挟持する場合と比べて捕捉物にかかる力が一部に集中せずに分散し、捕捉物を極めて安定的に捕捉することができる。
【００１８】
特に、表面がぬめって胴が柔軟で捕捉しにくい蛇を捕捉する際には、細長い挟持部３の対向しない複数点で胴部を交互に湾曲させて係止し、蛇の挟持体２による押え方向に対して横方向へのスライド移動を確実に阻止することができるから、確実に拘束して素早く確実且つ容易に捕捉することができ、更に、捕捉の際に蛇を刺したりして傷つけることなく丁寧に捕捉することができる。
【００１９】
従って、本発明は、例えば蛇を捕捉する際には、蛇に近付かず直接触らずに安全に捕捉でき、更に、刺したりして傷つけることなく丁寧に捕捉することができ、しかも、確実に拘束して素早く確実且つ容易に捕捉することができる実用的で画期的な捕捉機を提供できることとなる。
【００２０】
また、挟持体２の少なくとも一方の前記挟持部３を外方に屈曲状態に設けて、この一方の挟持部３の内側に屈曲凹部５を形成することで、挟持捕捉の際にこの凹部に配される捕捉物は凹部の両側面により移動が制限されるから、より一層安定的に捕捉することができる。
【００２１】
特に、蛇を挟持捕捉する際には、蛇を凹部に配することによって挟持体２の押え方向に対して縦方向への動きが制限され、前記交互に並設状態となった挟持部３の作用と相俟って、より確実に拘束することができるから、より一層素早く確実且つ容易に捕捉できる捕捉機となる。
【００２２】
【実施例】
本発明の具体的な実施例について図面に基づいて説明する。
【００２３】
本実施例は図１〜５に示すように、ステンレスのパイプである棒状体１の先端部に捕捉物を挟持捕捉可能な一対のステンレス材により構成した挟持体２を設け、この一対の挟持体２の一方は平面視長方形の枠状体でこの左右両辺部を細長い挟持部３として先端部は円弧状としたものであり、他方は先端部を外方へ基端部を内方へ屈曲した棒状体でこの棒状体自体を細長い挟持部３としたものであり、この枠状体は外方に屈曲状態に設けて、この枠状体の内側に屈曲凹部５を形成し、また、挟持体２が閉じた状態では前記一方の挟持体２の枠状体が形成する枠孔に前記他方の挟持体２の棒状体が並設状態に配設するように構成し、挟持体２は棒状体１の基端部に設けた握持部９を握持することで作動する開閉機構４により開閉するように構成したものである。
【００２４】
この挟持体２により例えば蛇を挟持捕捉する際、この蛇は枠状体の屈曲凹部５に配設されることにより、蛇の一方は枠状体の屈曲凹部５の凹部底面と両側面とに当接することで挟持体２の押え方向に対して縦方向への動きが制限され（図４）、他方はこの枠状体の内孔に配設される棒状体の中央部と当接することになる。
【００２５】
この際、蛇は枠状体の挟持部３と二点で当接し、この二点間で反対側の棒状体と一点で当接して互いに対向しない三点で係止されるから（図５）、対向する二点や四点で係止する場合と異なり、ただ単に挟持するだけでなく、蛇の胴部を交互に湾曲させることができ、そのため、蛇の挟持体２の押え方向に対して横方向のスライド移動が確実に阻止され、蛇の動きを確実に拘束することができる。
【００２６】
従って、本実施例の挟持体２によって挟持捕捉された蛇は、その動きが前記挟持体２の押え方向に対して横方向へのスライド移動及び縦方向への移動が共に確実に拘束されるから、蛇を素早く確実に且つ容易に捕捉することができる。
【００２７】
また、挟持部３は凹凸なく滑らかに形成し、更に、前記挟持体２の枠状体の先端部も同様に滑らかに形成している。
【００２８】
即ち、本実施例は例えば蛇を捕捉する際に、この滑らかな挟持部３で挟持捕捉するから、蛇を傷つけることなく丁寧に捕捉することができ、また、先端部は円弧状で同様に滑らかであるから、この枠状体を下側にして地面に沿って蛇を挟持捕捉しようとする場合にも先端部で傷つけてしまうことがない。
【００２９】
よって、本実施例は先ず枠状体を下側にして地面に沿って動かして捕捉物を屈曲凹部５に配してその動きを制限した上で、この挟持体２を閉じることで極めて容易且つ確実に捕捉物を挟持捕捉するという使い方が可能である。
【００３０】
また、この挟持体２は棒状体１の先端部に着脱自在に設けている。
【００３１】
即ち、例えば蛇を挟持捕捉する際に、蛇に近付かず直接触らずに極めて安全に捕捉することができる。
【００３２】
しかも、この挟持体２は着脱自在に設けることで、劣化した挟持部２を交換することは勿論、他の用途に適した挟持体２を取り付けることで様々な用途に使用することができる。
【００３３】
また、本実施例の挟持体２は、開閉機構４により開閉するように構成されている。
【００３４】
この開閉機構４は、棒状体１内部に挿通した連結杆６の先端部をスプリング８によって付勢して伸縮部７を介して挟持体２と連結し、この連結杆６の基端部を前記棒状体１の基端部に設けた握持部９と連結することでこの挟持体２と握持部９とを連結することにより、前記握持部９を握持することで前記挟持体２を閉じて捕捉物を挟持捕捉できるように構成したものである。
【００３５】
具体的には棒状体１は、内部に挿通孔１０を形成したものであり、この棒状体１の先端部は左右両側面を開口して側面視コ字状に形成し、この棒状体１の基端部には握持外枠９ａを形成している。
【００３６】
握持部９は、前記棒状体１の基端部の握持外枠９ａとこの握持外枠９ａ内をスライド移動可能な握持内枠９ｂにより構成している。
【００３７】
連結杆６は、先端部６ａを棒状体１の挿通孔１０の基端側にあるスプリング受け１４に基端部を配したスプリング８に付勢されながら伸縮部７に連結し、基端部を前記棒状体１の基端部の握持外枠９ａに配する握持内枠９ｂに連結している。
【００３８】
伸縮部７は、前記棒状体１の先端部の側面視コ字状部に配される二つの板体７ａの一端部同志を可動自在に連結し、この板体の一端部同志の連結部１１を前記スプリング８の先端部と当接してこのスプリング８によって付勢された連結杆６の先端部６ａと連結し、この夫々の板体７ａの連結していない他端部を挟持体２の基端部と夫々連結した連結部１２を可動自在に構成し、この挟持体２の夫々中央部同志を交叉させ、この交叉点１３を棒状体１の側面視コ字状部の先端部に挟持体２を開閉自在な状態で固定している。
【００３９】
この伸縮部７は、スプリング８によって付勢された連結杆６の先端部６ａにより棒状体１の先端部側に押圧され、挟持体２との連結部１２が外方へ屈曲し、平面視菱形状となっている（図３）。
【００４０】
また、この伸縮部７は握持部９（握持外枠９ａと握持内枠９ｂ）をスプリング８の付勢力以上の力で握持すると、これと連結する連結杆６の先端部６ａが棒状体１の基端部側に引っ張られ、伸縮部７の板体７ａと連結する挟持体２はその交叉点１３が棒状体１の先端部に固定されているから、伸縮部７の板体７ａだけが引っ張られて外方へ屈曲していた挟持体２との連結部１２が内方へ戻り平面視菱形状から直状となり、挟持体２は閉じた状態となるように構成されている（図４）。
【００４１】
即ち、本実施例の棒状体１の先端部に設けた挟持体２は、この棒状体１の基端部に設けた握持部９を握持することで捕捉物を挟持捕捉することができる。
【００４２】
従って、例えば蛇を挟持捕捉する際、棒状体１の先端部の挟持体２を基端部の握持部９を握持するだけで開閉させて蛇を挟持捕捉することができるから、蛇に手を近づける事なく極めて容易且つ安全に蛇を捕捉することができる。
【００４３】
よって、本実施例の捕捉機は片手でも容易に操作することができる極めて実用的なものとなる。
【００４４】
その上、本実施例で特に説明した蛇を捕捉するのに便利だけでなく、他の生物を捕捉したり、池の鯉の死骸や大鼠の死骸等動物の死体を処理したり、更に、下水溝の落ち葉・固形汚物を除去することもでき、しかも、挟持体２は着脱自在であることから、これらの用途に更に適した形状に自由に取り替えられる極めて汎用性に秀れたものとなる。
【００４５】
また、本実施例の捕捉機はステンレス製としたから、扱いやすく錆びにくい長期に渡って使用できる極めてコストパフォーマンスに秀れた捕捉機となる。
【００４６】
尚、本実施例においては、前記挟持体２を枠状体と棒状体とで構成したが、他の構成でもよく、例えば、先端が複数に分かれるフォーク状体同志で挟持体２を構成した場合には、挟持部３がより多くなり、より多数点で捕捉物を係止して拘束できるから、より一層確実に捕捉物を捕捉できることになる。
【００４７】
また、本実施例の開閉機構４は握持することで作動するように構成したが、他の開閉機構４を採用してもよく、例えば、挟持体２と連結した紐を引くことで挟持体２を閉じて捕捉物を挟持捕捉するように構成した場合には、握持部９を形成する必要なく極めて簡易な構造で捕捉機を製作することができることになる。
【００４８】
【発明の効果】
本発明は上述のように構成したから、例えば蛇を捕捉する際には、蛇に近付かず直接触らずに安全に捕捉でき、更に、刺したりして傷つけることなく丁寧に捕捉することができ、しかも、確実に拘束して素早く確実且つ容易に捕捉することができる実用的で画期的な捕捉機を提供できることとなる。
【００４９】
また、請求項２に記載の発明においては、捕捉物の挟持体の押え方向に対して縦方向への動きをより確実に拘束することで、一層素早く確実且つ容易に捕捉できる実用的な捕捉機を提供できることとなる。
【００５０】
また、請求項３に記載の発明においては、捕捉物を対向しない三点で係止することができ、挟持体の押え方向に対して横方向へのスライド移動を阻止して、より確実に拘束することができる実用的な捕捉機を提供できることとなる。
【００５１】
また、請求項４に記載の発明においては、捕捉物の挟持体の押え方向に対して縦方向への移動及び押え方向に対して横方向へのスライド移動を阻止してより確実に拘束することで、より一層素早く確実且つ容易に捕捉できる極めて実用的で画期的な捕捉機を提供できることとなる。
【００５２】
また、請求項５に記載の発明においては、棒状体の先端部の挟持体を基端部の握持部を握持するだけで開閉させて捕捉物を挟持捕捉することができるから、極めて容易且つ安全に蛇を捕捉することができる実用的な捕捉機を提供できることとなる。
【００５３】
また、請求項６に記載の発明においては、扱いやすく錆びにくいだけでなく、挟持体の交換も可能で汎用性にも秀れた極めて実用的な捕捉機となる。
【図面の簡単な説明】
【図１】本実施例の説明平面図である。
【図２】本実施例の拡大説明斜視図である。
【図３】本実施例の拡大説明平面図である。
【図４】本実施例の拡大説明平面図である。
【図５】本実施例の拡大説明側面図である。
【符号の説明】
１　棒状体
２　挟持体
３　挟持部
４　開閉機構
５　屈曲凹部
９　握持部
【図１】
2004073122.tif 000003
【図２】
2004073122.tif 000004
【図３】
2004073122.tif 000005
【図４】
2004073122.tif 000006
【図５】
2004073122.tif 000007